(57)【特許請求の範囲】
【請求項１】
フレーム（１４）の一部をなす眼科用レンズ（２０，２２）の配向を算出する装置であって、
記録装置と患者が着用する際に前記フレーム（１４）に取り付け可能な基準フレーム部と、を備え、
前記フレームは、前記眼科用レンズを受け入れ可能な２つの受入ハーフ部（１１，１３）と、前記２つの受入ハーフ部を連結する中央ブリッジ（１５）と、を有し、
前記２つの受入ハーフ部（１１，１３）は、前記中央ブリッジに互いに対称的に延在し、
前記基準フレーム部は、第１基準マーク（５４）を付せられた中央部（２６）と前記受入ハーフ部の外側縁（３５，３７）とそれぞれ嵌合するよう設計され前記フレーム（１４）から前記中央部（２６）を離すようにした２つの固定端（３２）とを有するアーチを形成する第１要素と、第２基準マーク（５８）を付せられ前記２つの外側縁の間で前記フレームに取り付けられる第２要素（５６）と、の２つの独立要素を備え、
前記記録装置は、前記フレームに取り付けられた前記基準フレーム部の画像を記録するために、所定視角（６４）から前記患者の眼球に向いているカメラ（６０）を備え、
前記装置は、前記第１及び第２の基準マーク（５４，５８）の相対位置を前記画像から算定し、
前記受入ハーフ部（１１，１３）の互いに対する傾斜を表す値を提供する処理手段を備えた装置であって、
前記カメラ（６０）から垂直に離間し、他の視角（６６）から前記患者の眼球に向いた他方のカメラ（６２）を備え、
前記２つのカメラ（６０，６２）は、前記２つの基準マーク（５４，５８）の相対位置を精密に算定して、前記受入ハーフ部（１１，１３）の傾斜を示す値を提供するために、前記フレーム（１４）に取り付けられた前記基準フレーム部（２４，５６）の２つの画像を２つの視角から同時に記録するように使用可能である
ことを特徴とする装置。
【請求項２】
前記基準フレーム部の前記第２要素（５６）は、前記中央ブリッジ（１５）に取り付けられる
ことを特徴とする請求項１に記載の装置。
【請求項３】
前記アーチ（２４）を形成する前記第１要素は、補正標準マーク（３８，４０）を有する
ことを特徴とする請求項１又は２に記載の装置。
【請求項４】
前記第１要素（２４）は、前記第１要素の正中面(Pm)を規定する一方で、前記中央部は、前記第１要素の前記正中面に対して略垂直に延在する突出ロッド（５０）を備え、前記第１基準マーク（５４）は、前記突出ロッド（５０）の自由端（５２）上に位置する
ことを特徴とする請求項１乃至３のいずれか１項に記載の装置。
【請求項５】
前記処理手段は、前記所定視角（６４）及び前記他の視角（６６）に対する前記突出ロッド（５０）の角度を算出する角度計算モジュールを含む
ことを特徴とする請求項４に記載の装置。
【請求項６】
前記角度計算モジュールは、垂直線に対する前記フレーム（１４）の前記正中面の角度も計算するように設計されている
ことを特徴とする請求項５に記載の装置。
【請求項７】
前記処理手段は、前記眼科用レンズ（２０，２２）から前記患者の眼球（１９，２１）が離間している距離を、前記受入ハーフ部（１１，１３）の傾斜を表す前記値から算出するレンズ／眼球間距離計算モジュールを含む
ことを特徴とする請求項１乃至６のいずれか１項に記載の装置。
【請求項８】
前記処理手段は、前記眼科用レンズ（２０，２２）から前記患者の眼球（１９，２１）が離間する距離を算出するために、前記第１基準マーク（５４）と角膜反射との相対位置を前記画像から評価するために使用可能である
ことを特徴とする請求項７に記載の装置。
【請求項９】
前記２つのカメラ（６０，６２）は、垂直面に嵌め込まれている
ことを特徴とする請求項１乃至８のいずれか１項に記載の装置。
【請求項１０】
フレーム（１４）の一部をなす眼科用レンズ（２０，２２）の配向を算出する方法であって、
記録装置及び基準フレーム部が設けられ、前記基準フレーム部は患者が着用可能な前記フレーム（１４）に取り付けられ、前記フレームは、前記眼科用レンズを受け入れ可能な２つの受入ハーフ部（１１，１３）と前記２つの受入ハーフ部を連結する中央ブリッジ（１５）とを有し、前記２つの受入ハーフ部（１１，１３）は、前記中央ブリッジ（１５）に互いに略対称に延在し、
前記基準フレーム部は、第１基準マーク（５４）を付せられた中央部（２６）と前記受入ハーフ部の外側縁（３５，３７）とそれぞれ嵌合するよう設計され前記中央部（２６）を前記フレーム（１４）から離すようにした２つの固定端（３２）とを有するアーチ（２４）を形成する第１要素と、第２基準マーク（５８）を付せられ前記２つの外側縁の間の前記フレーム上に取り付けられる第２要素（５６）と、の２つの独立要素を備え、
前記記録装置は、所定視角（６４）から前記患者の眼球に向いているカメラ（６０）を備えており、
前記フレームに取り付けられた前記基準フレーム部の画像は記録され、
前記画像から、前記第１及び第２の基準マーク（５４，５８）の相対位置が算定され、
前記受入ハーフ部（１１，１３）の互いに対する傾斜を表す値が提供される装置であって、
前記カメラ（６０）から垂直に離間し、他の視角（６６）から前記患者の眼球を向いて他方のカメラ（６２）を設けるステップと、
前記フレーム（１４）に取り付けられた前記基準フレーム部（２４，５６）の２つの画像が、前記所定視角（６４）及び前記他の視角（６６）から同時に記録されるステップと、
前記第１及び第２の基準マーク（５４，５８）の相対位置が前記受入ハーフ部（１１，１３）の傾斜を表す値を提供するために精密に算定されるステップと、を含む
ことを特徴とする方法。
【請求項１１】
前記基準フレーム部の前記第２要素（５６）は、前記中央ブリッジ（１５）に取り付けられる
ことを特徴とする請求項１０に記載の方法。
【発明の詳細な説明】
【技術分野】
【０００１】
本発明は、フレームに属する眼科用レンズの配向算出装置、及び、上記装置によって実施可能なフレームに属する眼科用レンズの配向算出方法に関する。
【背景技術】
【０００２】
この配向、特にフレームの曲率を測定する装置が周知である。
【０００３】
一般に眼鏡フレームと呼ばれるフレームは、眼科用レンズがそれぞれ入れ込まれる２つの受入口を形成する２つの受入ハーフ部からなる。この２つの受入ハーフ部は、中央ブリッジによって結合し、中央ブリッジと対向する２つのアームをそれぞれ備える。このようにして、上記２つの受入ハーフ部は、上記中央ブリッジを分断する対称面に対し、互いに対称に延在している。従って、中央ブリッジは患者の鼻に当接し、２つのハーフ部はそれぞれ患者の眼球の前に位置し、２つのアームは患者の耳に掛けられた状態でフレームが患者の顔に適合するように設計されている。この場合に曲率は、上述の対称面に垂直な面に対する、２つの受入ハーフ部の傾斜、ひいては眼科用レンズの傾斜、またはただ単に、２つの受入ハーフ部の互いに対する傾斜を表し、この場合は１８０度の傾斜は曲率０に相当する。
【０００４】
周知装置は、デジタルカメラとこのカメラから提供された画像の処理手段とを含む記録装置からなる。周知装置はまた、第１基準マークを付せられた第１位置決め部と第２基準マークを付せられた第２位置決め部とからなる。第１位置決め部は、フレームの正中面を定めることによって眼鏡用フレーム上に適合し、第２位置決め部は、フレーム上に適合することにより受入ハーフ部の配向を定める。
【０００５】
このような装置を記載する特許文献１を参照する。
【先行技術文献】
【特許文献】
【０００６】
【特許文献１】フランス国特許第２９０３５０４号公報
【発明の開示】
【発明が解決しようとする課題】
【０００７】
特許文献１に記載の装置では、フレーム上に当接する位置決め部の画像を記録するカメラを用い、第２基準マークに対する第１基準マークの位置を決め、そこからフレームの曲率を求める。
【０００８】
このタイプの装置は効率的であり、曲率の十分な算定を行うことができるが、受入ハーフ部の傾斜に対し、より正確な値を与えることが必要である。特に、使用する人に特別なスキルを要求しない装置を提供することが現在要求されている。
【０００９】
これによって生じた、本発明が解決しようとする課題は、曲率のより正確な値を精密に求めることができ、かつ使いやすい装置を提供することである。
【００１０】
この課題を解決するために、本発明は、フレームに属する眼科用レンズの配向を算出する装置およびその方法を提供する。
【課題を解決するための手段】
【００１１】
この装置は、一方に、記録装置と、他方に、患者が着用している際にフレームに取り付け可能な基準フレーム部を備える。上記フレームは、眼科用レンズを受け入れ可能な２つの受入ハーフ部と、上記２つのハーフ部を連結する中央ブリッジとを有し、上記２つのハーフ部は上記中央ブリッジに対し互いに対称的に延在する。上記基準フレーム部は、第１基準マークを付せられた中央部と上記ハーフ部の外側縁とそれぞれ嵌合するよう設計され上記フレームから上記中央部を離すようにした２つの固定端とを有するアーチを形成する第１要素と、第２基準マークを付せられ２つの外側縁の間で上記フレームに取り付けられる第２要素と、との２つの独立要素を備える。上記記録装置は、上記フレームに取り付けられた上記基準フレーム部の画像を記録するために、所定の視角から上記患者の眼球に向いているカメラを備える。上記装置は、２つの基準マークの相対位置を画像から算定し、上記ハーフ部の互いに対する傾斜を表す値を提供する手段からなる。本発明によれば、装置はさらに、上記一方のカメラから垂直方向に離間し、他の視角から患者の眼球に向いた他方のカメラからなる。これら２つのカメラは、２つの標準点の相対位置を精密に算定し、上記ハーフ部の傾斜を表す値を提供するために、上記フレームに取り付けられた基準フレーム部の２つの画像を２つの視角から同時に記録するように使用可能である。
【００１２】
従って、本発明の１つの特徴は、上記フレームに取り付けられた基準フレームの２つの画像を２つの異なる視角から同時に記録するために第２のカメラを使用することにある。具体的には、２つの画像を同時に記録するということは、全く同時に、または患者がその間に動かないことを条件としてほぼ同時の瞬間に、これら２つの記録が行われることを意味する。このようにして、上記カメラの位置と、視角と、これらカメラに対する患者の位置とを把握することにより、２つの基準マークを離間する２つの見かけ上の距離は、２つの記録された画像と実際の距離とに基づいて測定され、その結果、そこから曲率が求められる。受入ハーフ部の互いに対する傾斜に相当する値をいかに取得するかに関し、以下の記載により詳細に説明する。
【００１３】
特に有利な実施形態によると、上記基準フレーム部の第２要素は、上記中央ブリッジに取り付けられる。従って、曲率はさらに精密に測定される。特に、アーチを形成する要素は、ハーフ部の外側縁に取り付けられるその固定端を介してフレームに連結していることから、フレームの曲率にかかわらず、上記中央部を上記主対称面に対して略垂直に保つことができるため、フレームの曲率変化は中央ブリッジの位置において大きな振幅変動を誘発することができる。
【００１４】
さらに、アーチを形成する上記要素は、補正基準マーク、言い換えれば、少なくとも周知の所定距離、例えば１１０ｍｍだけ互いに離間した２つの補正基準マークを有し、そこから簡単な三数法によって画像上に現れる第１及び第２基準マークの間の見かけ上の距離を求めることができる。第１及び第２基準マークは同一面に位置することを前提としないため、ここでは「見かけ上の距離」という表現が使用される。しかしながら一方で、互いに離間された２つの補正基準マークは最大距離となるように調整され、中央部において、他方では、補正基準マークが画像上で単一で同一の平面に位置するようにカメラ及び患者の位置が調整される。このような特徴は、カメラの光学系における光軸が補正基準マークによって画定されるセグメントに対して垂直である場合に得ることができる。
【００１５】
さらに、上記第１要素は第１要素の正中面を画定する一方で、上記中央部は、第１要素の上記正中面に対して略垂直に延在する突出ロッドまたはバレルを有利に有し、上記第１基準マークは、上記ロッドの自由端上に位置する。このようにして、中央部と２つのカメラによって提供される画像上の第１基準マークとを離間する見かけ上の距離がさらに大きくなることにより測定精度を上げることができるので、２つの基準マーク間の距離が大きくなるだけでなく、カメラの視角もロッドに対して容易に算出することができる。
【００１６】
このために、上記処理手段は、視角に対する上記突出ロッドの角度を算出する角度計算モジュールを含む。この計算は補正基準マークを用いて行われ、画像上に引かれる仮想線により第１基準マークと離間している距離が測定されることになる。さらに、上記角度計算モジュールは、上記フレームの広角度、言い換えれば垂直線に対するフレームの正中面の角度も計算するように設計されている。
【００１７】
さらに、上記処理手段は、眼鏡用レンズから患者の眼球が離間している距離を、上記ハーフ部の傾斜を表す値から算出するレンズ／眼球間距離計算モジュールを含む。このためには、第１基準マークから患者の眼球が離間している距離をも把握すること必要である。従って、上記処理手段は、上記第１基準マークと角膜頂点上の光の反射、角膜反射との相対位置を上記画像から算出するために使用することも可能であり、従って計算モジュールは眼鏡用レンズから患者の眼球が離間している距離を算出する。詳細な説明から明らかになるように、角膜反射が画像上において、角膜上の小径オフホワイトスポットによって表される。この方法によって、フレーム内の眼鏡用レンズの調整に必要なパラメータ全てを本発明の装置が算出することが容易になる。
【００１８】
有利に、上記カメラは垂直面に嵌め込まれ、第１基準マークと第２基準マークを離間する見かけ上の距離ができるだけ離間した２つの画像を得ることができる。具体的には、第１基準マークを支えるバレル形成突出ロッドと、第２基準マークを支え中央ブリッジ上に位置する第２要素とは、略垂直面に収納されている。このようにして、２つの基準マーク間の距離振幅変動が最大の２つの画像を得ることができ、その結果、以下に説明するように、曲率にさらに精密性をもたせることができる。
【００１９】
第２のアスペクトによると、本発明はフレームに属する眼科用レンズの配向を算出する方法に関し、この方法は以下のタイプである。
記録装置及び基準フレーム部が設けられ、基準フレーム部は患者が着用可能であり、上記フレームは、眼科用レンズを受け入れ可能な２つの受入ハーフ部と２つのハーフ部を連結する中央ブリッジとを有し、上記２つのハーフ部は上記中央ブリッジに対して互いに略対称に延在し、上記基準フレーム部は、第１基準マークを付せられた中央部と前記ハーフ部の外側縁とそれぞれ嵌合するよう設計され前記中央部を前記フレームから離すようにした２つの固定端とを有するアーチを形成した第１要素と、第２基準マークを付せられ２つの外側縁の間の上記フレーム上に取り付けられた第２要素と、の２つの独立要素を備え、上記記録装置は、所定の視角から上記患者の眼球に向いているカメラからなる。
上記フレームに取り付けられた上記基準フレーム部の画像は記録される。
上記画像から、２つの基準マークの相対位置が算定される。
上記ハーフ部の互いに対する傾斜を表す値が提供される。
本発明によれば、上記方法はさらに以下のステップからなる。
上記一方のカメラから垂直に離間し、他の視角から患者の眼球に向いた他方のカメラが提供される。
上記フレームに取り付けられた上記基準フレーム部の２つの画像が、２つの視角から同時に記録される。
２つの基準マークの相対位置が上記ハーフ部の傾斜を示す値を提供するために精密に算定される。
【００２０】
本発明の他の特定の特徴と効果は、添付の図面を参照して非制限的な例として示される本発明の特定の実施態様を読むことによって明らかになる。
【図面の簡単な説明】
【００２１】
【図１】本発明による装置の要部を与えられた患者の眼球の略正面図である。
【図２】図１に示された要部の矢印ＩＩからみた略平面図である。
【図３】図２に示された要部の矢印ＩＩＩからみた側面図である。
【図４】本発明による装置の図表示である。
【図５】本発明による装置の要部のブロック図である。
【発明を実施するための形態】
【００２２】
図１は、患者の顔１２に着用された１対の眼鏡１０を図示する。この１対の眼鏡１０は、２つのアーム１６，１８と、患者の眼球１９，２０の前にそれぞれ延在する２つの眼科用レンズ２０，２２とを装備するフレーム１４を有する。フレーム１４は、眼科用レンズ２０，２２を受け入れるように設計された２つの受入ハーフ部１１，１３と、当該２つの受入ハーフ部１１，１３を連結する中央ブリッジ１５とを有する。さらに、フレーム１４は、第１アーチ形成基準フレーム部２４を備える。当該第１要素２４は、固定端３２をそれぞれ含む２つの反対端２８，３０の間を長手方向に延在する中央部２６を有する。固定端３２は、眼科用レンズ２０，２２の前に置載可能な前部アーム３４と、反対側に、眼科用レンズの後に置載する短い後部アーム３６とを有する。従って、固定端３２は、患者の視角空間を開放しつつ、眼科用レンズ２０，２２と、フレーム１４の２つの各アーム１６，１８の近傍で２つの受入ハーフ部１１，１３の外側縁３５，３７とにそれぞれ重なる。このようにフレーム１４に全面的に取り付けられた第１要素は、２つの反対端２８，３０にそれぞれ付けられた２つの対向補正基準マーク３８，４０を有する。これら２つの補正基準マーク３８，４０はそれぞれ、その中央に黒点４２，４４を有するディスク状の白色マークで表される。さらに、２つの黒点４２，４４は、周知の距離、例えば１１０ｍｍ調度の距離で互いに離間されている。
【００２３】
さらに、図１から明らかなように、患者の眼球１９，２１の瞳孔４６，４８は、それらの中心で角膜頂点において自然光または人口光に関わらずに反射光に一致したオフホワイトのマークで表される。装置の設置場所が暗い場合、角膜頂点上の上記オフホワイトマークを強調するため、有利に人口光が出力される。黒色背景上のこのオフホワイトマークは、自動画像処理手段によって容易に識別され、眼球の光軸に対応する直線上の点と実質的に一致する。
【００２４】
第１アーチ形成基準フレーム部２４は、図１の平面に略平行な正中面Ｐｍを画定し、中央部２６は、第１位置決め基準マーク５４が付される端５２においてバレル形成突出ロッド５０を含む。対向する補正基準マーク３８，４０と同じように、この第１位置決め基準マーク５４は、ディスク状のオフホワイト色のマークと、その中央に黒点とを有する。
【００２５】
さらに、フレーム１４の中央ブリッジ１５は、当該中央ブリッジ１５に接着されたペレットからなる第２基準フレーム部５６を有する。このペレット５６は、その中央に黒点を有する白色ディスクからなる第２位置決め基準マーク５８を有する。
【００２６】
第１基準フレーム部２４と第２基準フレーム部５６は、基準フレーム部の２つの要素を構成し、この協動モードは以下に説明される。
【００２７】
ここで、図２を参照して、平面図において図１に示される要素を図示する。図２は、中央ブリッジ１５を交差する垂直対称面Ｐに対し、互いに対称的な２つの受入ハーフ部１１，１３を図示する。これら２つの受入ハーフ部１１，１３はそれぞれ、中央ブリッジ１５の高さにおける垂直対象面Ｐを交差する半平面Ｐ１，Ｐ２を、単一で同一の直線Ｄｔを規定することによって規定する。垂直対称面Ｐに垂直で直線Ｄｔを含む平面Ｐ３は、第１基準フレーム部２４の正中面Ｐｍに平行で、フレーム１４の曲率を算出する際に使用可能である。詳細には、曲率は、２つの半平面Ｐ１，Ｐ２と、主の対称面Ｐに垂直な平面Ｐ３とによって形成される角度に一致する。曲率は、２つの半平面Ｐ１，Ｐ２の互いに対する傾斜として定義されることもでき、１８０度の傾斜は曲率０に相当することが分かる。なお、第１位置決め基準マーク５４および第２位置決め基準マーク５８は、垂直対称面Ｐと交差し、フレーム１４の曲率が大きくなるほど２つの位置決め基準マーク５４，５８は近づき、従って、曲率が小さくなるほど２つの位置決め基準マーク５４，５８は離間する。よって、本発明による装置の特質は、曲率を算出するために、この２つの位置決め基準マーク５４，５８の間の距離を測定することである。
【００２８】
図３は、矢印ＩＩＩからみた側面図であり、図２に示される要素を図示し、バレル５０、ブリッジ１５に接着されたペレット５６とを示し、より詳細には、図３の平面において、２つの位置決め基準マーク、バレル５０の端５２における一方の基準マーク５４と、ペレット５６上の他方の基準マーク５８とを離間する距離ｄを示す。
【００２９】
本発明にかかる装置は図４に示される記録装置を備え、当該記録装置は２つのＣＣＤ型デジタルカメラ、上部カメラ６０と下部カメラ６２とを備え、これらカメラは所定距離ａで互いに垂直に離間され、下部カメラ６２からの距離Ｄで患者の顔面１２を向いている。装置はまた、図５に示される処理手段６３を含む。当該処理手段６３は、以下に詳細に説明されるように、カメラ６０，６２によって記録提供された画像から、特に２つの位置決め基準マーク５４，５８の相対位置を算定する画像処理モジュール６５を含む。処理手段６３は、垂直線に対する第１基準フレーム部２４の傾斜を、補正基準マーク３８，４０および第１位置決め基準マーク５４によって算定するのに使用可能である計算モジュール６７を含む。
【００３０】
患者は、中央ブリッジに接着されたペレットから構成され、第２位置決め基準マーク５８を含む第２基準フレーム部５６を備えたフレーム１４を装着する。フレーム１４は、第１位置決め基準マーク５４を含む第１基準フレーム部２４を備える。
【００３１】
従って、患者の顔面１２の２つの画像が２つのカメラによってそれぞれ同時に２つの異なる視角、角度６４は略水平の一方の角度６４と、水平に対して２０度に近似した他方の角度６６とから記録される。
【００３２】
図１は、上部カメラ６０によって略水平の視角６４で見た画像を図示する。まず、処理手段６３が、画像処理モジュール６５と計算モジュール６７とを介し、バレル５０の軸Ａによって形成された、上部カメラ６０の視角６４に対する角度を算出する。これを行うために、画像処理モジュール６５は、２つの補正基準マーク３８，４５に交差する線を仮定して、その後、例えばピクセルを計数し、第１位置決め基準マーク５４がバレルから離間する距離ｄ０と、垂直方向におけるこの仮想線とを、画像平面上において測定する。バレル５０の長さ１は把握してあり、中央部２６は単一で同一の平面Ｐｍにおいて延在し、２つの補正基準マーク３８，４５は周知の距離（この場合、１１０ｍｍ）で離間されているため、計算モジュール６７は、仮想線から第１位置決め基準マーク５４が離間する距離から、視角６４に対するバレル５０の軸Ａの傾斜角を必然的に導くことができる。
【００３３】
明らかに、この角度は、下部カメラ６２を介して記録された画像を同一の方法で他方の視角６６に対しても測定される。
【００３４】
さらに、処理手段によって、図３に表される、位置決め基準マーク５４，５８間の見かけ上の距離ｄ１，ｄ２を、各画像から測定することが可能である。
【００３５】
このように、視角６４，６６およびこれらの視角に対するバレル５０の軸Ａの配向を把握し、また、見かけ上の距離ｄ１，ｄ２を算出することにより、そこから計算モジュール６７は２つの位置決め基準マーク５４，５８を離間する実際の距離ｄを導く。
【００３６】
再び、図２を参照して、２つの位置決め基準マーク５４，５８を離間する実際の距離から、フレームの角度αまたは曲率をどのように計算するのかについて図示する。
【００３７】
固定端３２の寸法も算出され、この寸法をもとに、中央部２６が２つの受入ハーフ部１１，１３の外側縁３５，３７から離間する実際の距離ｄ４を確認することができる。中央部２６に沿って２つの固定端３２を離間する距離も把握される。さらに、実際の距離ｄを用い、第２位置決め基準マーク５８の高さにおいて中央ブリッジ５８に接線方向である上記平面Ｐ３の位置が算出される。そこから、対称面Ｐに垂直な平面Ｐ３に対する２つの半平面Ｐ１，Ｐ２の傾斜および付随する曲率値が計算モジュール６７を介して導き出される。処理手段６３は、上述した計算結果を表示する表示端末６９を有する。
【００３８】
さらに、眼科パラメータの情報を全て得るために、装置は、眼球から眼科用レンズを離間する距離ｄｖｏを算出することが可能である。従って、同一の計算原理によって、計算モジュール６７は、上述の２つのカメラ６０，６２からの２つの画像を用い、画像処理モジュール６５を介して、画像上に白く現れる２つの角膜反射が、バレル５０の端５２に位置する第１位置決め基準マーク５４から離間する距離をまず算出する。
【００３９】
そして、各角膜頂点の三次元座標が得られる。フレームの曲率は既に計算済みであるので、計算モジュール６７は、フレームの各点における座標を計算でき、より詳細には、フレームの点と角膜の軸、つまりは眼球との交差点の座標を計算することができる。そして、そこから眼球から眼科用レンズが離間する距離を導く。
【００４０】
以上の実施形態によりレームに属する眼科用レンズの配向算出装置及び眼科用レンズの配向き算出方法が実現される。
【００４１】
フレーム（１４）に属する眼科用レンズ（２０，２２）の配向を算出する装置であって、一方に、記録装置と、他方に、患者が着用する際にフレーム（１４）に取り付け可能な基準フレーム部と、を備える。前記フレームは、眼科用レンズを受け入れ可能な２つの受入ハーフ部（１１，１３）と、前記２つの受入ハーフ部を連結する中央ブリッジ（１５）と、を有し、前記２つのハーフ部（１１，１３）は、前記中央ブリッジに互いに対称的に延在し、前記基準フレーム部は、第１基準マーク（５４）を付せられた中央部（２６）と前記ハーフ部の外側縁（３５，３７）とそれぞれ嵌合するよう設計され前記フレーム（１４）から前記中央部（２６）を離すようにした２つの固定端（３２）とを有するアーチを形成する第１要素と、第２基準マーク（５８）を付せられ前記２つの外側縁の間で前記フレームに取り付けられる第２要素（５６）と、の２つの独立要素を備える。前記記録装置は、前記フレームに取り付けられた前記基準フレーム部の画像を記録するために、所定視角（６４）から前記患者の眼球に向いているカメラ（６０）を備える。前記装置は、前記２つの基準マーク（５４，５８）の相対位置を前記画像から算定し、前記ハーフ部（１１，１３）の互いに対する傾斜を表す値を提供する処理手段を備えた装置であって、前記一方のカメラ（６０）から垂直に離間し、他の視角（６６）から前記患者の眼球に向いた他方のカメラ（６２）を備え、前記２つのカメラ（６０，６２）は、２つの基準マーク（５４，５８）の相対位置を精密に算定して、前記ハーフ部（１１，１３）の傾斜を示す値を提供するために、前記フレーム（１４）に取り付けられた前記基準フレーム部（２４，５６）の２つの画像を２つの視角から同時に記録するように使用可能である。
【００４２】
また、前記基準フレーム部の前記第２要素（５６）は、前記中央ブリッジ（１５）に取り付けられる。
【００４３】
アーチ（２４）を形成する前記要部は、補正標準マーク（３８，４０）を有する。
【００４４】
前記第１要素（２４）は、前記第１要素の正中面(Pm)を規定する一方で、前記中央部は、前記第１要素の前記正中面に対して略垂直に延在する突出ロッド（５０）を備え、前記第１基準マーク（５４）は、前記ロッド（５０）の前記自由端（５２）上に位置する。
【００４５】
前記処理手段は、前記視角（６４，６６）に対する前記突出ロッド（５０）の角度を算出する角度計算モジュールを含む。
【００４６】
前記角度測定モジュールは、前記フレーム（１４）の広角度も計算するように設計されている。
【００４７】
前記処理手段は、眼鏡用レンズ（２０，２２）から患者の眼球（１９，２１）が離間している距離を、前記ハーフ部（１１，１３）の傾斜を表す前記値から算出するレンズ／眼球間距離計算モジュールを含む。
【００４８】
前記処理手段は、眼科用レンズ（２０，２２）から患者の眼球（１９，２１）が離間する距離を算出するために、前記第１基準マーク（５４）と角膜反射との相対位置を前記画像から評価するために使用可能である。
【００４９】
前記カメラ（６０，６２）は、垂直面に嵌め込まれている。
【００５０】
フレーム（１４）に属する眼科用レンズ（２０，２２）の配向を算出する方法であって、記録装置及び基準フレーム部が設けられ、前記フレーム部は患者が着用可能なフレーム（１４）に取り付けられ、前記フレームは、眼科用レンズを受け入れ可能な２つの受入ハーフ部（１１，１３）と前記２つのハーフ部を連結する中央ブリッジ（１５）とを有し、前記２つのハーフ部（１１，１３）は、前記中央ブリッジ（１４）に互いに略対称に延在し、前記基準フレーム部は、第１基準マーク（５４）を付せられた中央部（２６）と前記ハーフ部の外側縁（３５，３７）とそれぞれ嵌合するよう設計され前記中央部（２６）を前記フレーム（１４）から離すようにした２つの固定端（３２）とを有するアーチ（２４）を形成する第１要素と、第２基準マーク（５８）を付せられ前記２つの外側縁の間の前記フレーム上に取り付けられる第２要素（５６）と、の２つの独立要素を備え、前記記録装置は、所定視角（６４）から上記患者の眼球に向いているカメラ（６０）を備えており、前記フレームに取り付けられた前記基準フレーム部の画像は記録され、前記画像から、前記２つの基準マーク（５４，５８）の相対位置が算定され、前記ハーフ部（１１，１３）の互いに対する傾斜を表す値が提供される装置であって、前記一方のカメラ（６０）から垂直に離間し、他の視角（６６）から前記患者の眼球を向いて他方のカメラを設けるステップと、前記フレーム（１４）に取り付けられた前記基準フレーム部（２４，５６）の２つの画像が、前記２つの視角から同時に記録されるステップと、ハーフ部前記２つの基準マーク（５４，５８）の相対位置が前記ハーフ部（１１，１３）の傾斜を表す値を提供するために精密に算定されるステップと、を含む。
【００５１】
前記基準フレーム部の前記第２要素（５６）は、前記中央ブリッジ（１５）に取り付けられる。
【図１】
0005536758.tif 000002
【図２】
0005536758.tif 000003
【図３】
0005536758.tif 000004
【図４】
0005536758.tif 000005
【図５】
0005536758.tif 000006